(57)【要約】【課題】樹脂材からなる対象物の切断と切断面の溶着シールを同時に行うことができる溶融切断工具を提供する。【解決手段】互い接近および離間移動操作可能な一対の挟持アーム部材２と、これら挟持アーム部材２を加熱するヒータ３とを備え、各挟持アーム部材２は、対象物を挟む相対向する挟持部をそれぞれ有し、各挟持部を、非鋭利な形状としている。これによって、対象物を溶融切断すると共に、溶融切断された切断面を溶融密着させて溶着シールするようにしている。【選択図】図１
0003174905.tif 000002
【実用新案登録請求の範囲】
【請求項１】
互い接近および離間移動操作可能な一対の挟持アーム部材と、これら挟持アーム部材を加熱するヒータとを備え、
各挟持アーム部材は、対象物を挟む相対向する挟持部をそれぞれ有し、各挟持部が、非鋭利な形状である、
ことを特徴とする溶融切断工具。
【請求項２】
前記各挟持部は、互いに最も近接あるいは接触する溶断用頂部と、その両側に連なる溶融挟持部とをそれぞれ有する、
請求項１に記載の溶融切断工具。
【請求項３】
前記挟持部の断面形状が、円弧状である、
請求項１または２に記載の溶融切断工具。
【請求項４】
前記挟持部の断面形状の内、前記溶断用頂部が直線状であって、前記溶融挟持部が円弧状である、
請求項２に記載の溶融切断工具。
【請求項５】
前記挟持部の断面形状の内、前記溶断用頂部が直線状であって、前記溶融挟持部が直線状である、
請求項２に記載の溶融切断工具。
【請求項６】
一対の前記挟持アーム部材を開閉可能に連結し、前記挟持アーム部材を片手で接近および離間操作可能とした、
請求項１ないし５のいずれかに記載の溶融切断工具。
【考案の詳細な説明】
【技術分野】
【０００１】
本考案は、樹脂製品を溶融させながら切断する溶融切断工具に係り、詳しくは、樹脂製の袋などを、切断面を溶着させた状態で切断できる切断工具に関する。
【背景技術】
【０００２】
工場等の作業現場から発生する有害な粉塵などを収集する集塵機においては、フィルタ交換の際に有害な粉塵が外部に飛散しないようにフィルタを、樹脂製の袋を用いて密封状態で交換するようにしている（例えば、特許文献１参照）。
【０００３】
上記したフィルタの密封交換においては、集塵機のフィルタ交換口にフィルタ交換用の樹脂製の密封袋（バッグ）を装着し、使用済みのフィルタを密封袋内に回収して袋の入り口部を溶着シールして切断する。次に、新たなフィルタを収容した密封袋を集塵機のフィルタ交換口に装着し、先の密封袋の残部を、新たに装着した密封袋の奥側に回収して密封袋の一部を溶着シールして切断することにより、新たなフィルタを集塵機に取り付けるようにしている。
【０００４】
なお、樹脂製品を溶融させて切断する工具としては、例えば、特許文献２に開示されているようなヒートニッパが知られており、また、樹脂製品を溶融封止するものとしては、例えば、特許文献３に開示されているようなヒートシール装置が知られているが、ヒートニッパは切断専用、また、ヒートシール装置は封止専用であり、溶着シールと切断とは個別に行う必要がある。
【先行技術文献】
【特許文献】
【０００５】
【特許文献１】特開昭５８−４１３９６号公報
【特許文献２】特開平１０−３２３４６０号公報
【特許文献３】実公平７−１８５７４号公報
【考案の概要】
【考案が解決しようとする課題】
【０００６】
従って、上記した集塵機のフィルタ交換においては、密封袋を溶着シールした後、その溶着シール箇所を、鋏みやカッタナイフ、あるいは、上記ヒートニッパ等で切断することになり、工具の取替えが必要で作業に手間がかかるものとなっていた。
【０００７】
本考案は、このような実情に着目してなされたものであって、樹脂材からなる対象物の切断と切断面の溶着シールとを工具の取替えを要することなく一挙に行うことができ、作業能率の向上に寄与することができる溶融切断工具を提供することを主たる目的とする。
【課題を解決するための手段】
【０００８】
上記目的を達成するために、本考案では次のように構成している。
【０００９】
（１）本考案の溶融切断工具は、互い接近および離間移動操作可能な一対の挟持アーム部材と、これら挟持アーム部材を加熱するヒータとを備え、各挟持アーム部材は、対象物を挟む相対向する挟持部をそれぞれ有し、各挟持部が、非鋭利な形状である。
【００１０】
本考案によると、対象物を一対の挟持アーム部材の各挟持部間に挟み込んで挟持アーム部材を接近移動させることで、ヒータの熱によって対象物を溶融切断するのであるが、両挟持部は、非鋭利な形状であるので、挟持部そのものによる切断機能は無く、対象物の軟化溶融に応じて序々に両挟持部が接近して、対象物は溶融切断されると共に、溶融切断された切断面が溶融密着し、切断面を的確に溶着シールすることができる。
【００１１】
従って、樹脂材からなる袋状あるいは筒状等の対象物の適所を挟持アーム部材で挟持して、対象物の溶融切断とその両側の切断面での溶着シールとを同時に行うことができる。
【００１２】
（２）本考案の好ましい実施態様では、前記各挟持部は、互いに最も近接あるいは接触する溶断用頂部と、その両側に連なる溶融挟持部とをそれぞれ有する。
【００１３】
この実施態様によると、対象物を挟み込んだ挟持アーム部材を接近移動させることで、両挟持部の溶断用頂部によって集中して強く挟まれた箇所では対象物を溶融切断する一方、溶断用頂部の両側の溶融挟持部では、切断面を十分溶融させて密着させることができる。
【００１４】
（３）本考案の好ましい実施態様では、前記挟持部の断面形状が、円弧状である。
【００１５】
この実施態様によると、両挟持部は、断面形状が円弧状の非鋭利な形状なので、対象物を溶融切断すると共に、その切断面を溶融密着させることができる。
【００１６】
（４）本考案の他の実施態様では、前記挟持部の断面形状の内、前記溶断用頂部が直線状であって、前記溶融挟持部が円弧状である。
【００１７】
この実施態様によると、両挟持部は、断面形状が直線状の溶断用頂部と、その両側の円弧状の溶融挟持部とからなる非鋭利な形状なので、対象物を溶融切断すると共に、その切断面を溶融密着させることができる。
【００１８】
（５）本考案の更に他の実施態様では、前記挟持部の断面形状の内、前記溶断用頂部が直線状であって、前記溶融挟持部が直線状である。
【００１９】
この実施態様によると、両挟持部は、断面形状が直線状の溶断用頂部と、その両側の直線状の溶融挟持部とからなる非鋭利な形状なので、対象物を溶融切断すると共に、その切断面を溶融密着させることができる。
【００２０】
（６）本考案の他の実施態様では、一対の前記挟持アーム部材を開閉可能に連結し、前記挟持アーム部材を片手で接近および離間操作可能としている。
【００２１】
この実施態様によると、鋏み状に開閉する両挟持アーム部材の間に、対象物を容易に差し入れて挟持し、切断することが可能となる。また、挟持アーム部材を手動で操作する際、挟持アーム部材を挟持操作する反力から対象物の溶融具合などを確認して操作力を加減することで、適切な切断と溶着シールとを行うことができる。
【考案の効果】
【００２２】
このように、本考案に係る溶融切断工具を用いることで、樹脂材からなる対象物の切断と切断面の溶着シールとを工具の取替えを要することなく一挙に行うことができ、作業能率が向上する。
【図面の簡単な説明】
【００２３】
【図１】図１は本考案の一実施形態の溶融切断工具の斜視図である。
【図２】図２は溶融切断工具の要部を示す縦断正面図である。
【図３】図３は溶融切断処理状態における溶融切断工具の要部を示す縦断正面図である。
【図４】図４は切断面を示す斜視図である。
【図５】図５は本考案の実施形態に係る切断面の密封構造を示す斜視図である。
【図６】図６はフィルタ交換処理工程の概略を示す説明図である。
【図７】図７はフィルタ交換処理工程の概略を示す説明図である。
【図８】図８はフィルタ交換処理工程の概略を示す説明図である。
【図９】図９はフィルタ交換処理工程の概略を示す説明図である。
【図１０】図１０はフィルタ交換処理工程の概略を示す説明図である。
【図１１】図１１はフィルタ交換処理工程の概略を示す説明図である。
【図１２】図１２はフィルタ交換処理工程の概略を示す説明図である。
【図１３】図１３はフィルタ交換処理工程の概略を示す説明図である。
【図１４】図１４は本考案の他の実施形態の溶融切断工具における要部を示す縦断正面図である。
【図１５】図１５は比較例の溶融切断工具における要部を示す縦断正面図である。
【考案を実施するための形態】
【００２４】
以下、本考案の実施形態を図面に基づいて詳細に説明する。
【００２５】
図１は、本考案の一実施形態の溶融切断工具１を備える装置の全体構成を示す図である。この実施形態の溶融切断工具１は、先細り形状に形成した一対の挟持アーム部材２を支点ｘ周りに鋏み状に開閉可能に枢支連結すると共に、その基部からグリップ部２ａを延出し、両グリップ部２ａを片手で把持操作することで挟持アーム部材２を開閉して接近離間移動させるように構成されている。
【００２６】
挟持アーム部材２の基部外側面には、平板状に形成された一対の電熱ヒータ３がブラケット４を介して脱着可能に設けられ、挟持アーム部材２の基部を外側面から加熱することができる。
【００２７】
各挟持アーム部材２の対向部位は、その長手方向に沿う挟持部となっている。
【００２８】
この挟持部は、非鋭利な形状とされ、この実施形態では、図２に示すように、相対向する前記挟持部の断面形状は大略円弧状に形成されており、アーム長手方向に沿う幅の狭い直線状の溶断用頂部ａと、その両側に連なる円弧状の溶融挟持部ｂが備えられている。両挟持アーム部材２が最も接近された状態において、溶断用頂部ａは互いに接触し、かつ、溶融挟持部ｂは、溶断用頂部ａから離れるほど相手挟持アーム部材２の溶融挟持部ｂとの間隔が大きくなる状態で対向する。なお、溶断用頂部ａは、両挟持アーム部材２が最も接近された状態において、必ずしも接触しなくてもよく、僅かの間隔で接近対向するものであってもよい。
【００２９】
グリップ部２ａには、断熱性の高い耐熱樹脂からなるカバー５が被せられ、電源コード６から延出された電線７が各電熱ヒータ３にそれぞれ接続されている。なお、電源コード６はスライダックなどの電圧調整器８を介して交流電源９に接続され、電圧調整によって挟持アーム部材２の加熱温度を任意に調節することができるようになっている。このように挟持アーム２の加熱温度を調節できるので、対象物の材質や厚さなどに対応した溶融切断を好適に行うことができる。なお、交流電源に代えて直流電源で電熱ヒータ３を加熱するようにしてもよい。また、電圧調整に代えて、半導体式やトランス式などの電流調整器を使用して電流調整することによっても挟持アーム部材２の加熱温度を調節することができる。
【００３０】
本考案に係る溶融切断工具１は以上のように構成されており、次に、その使用形態の一例を、集塵機のフィルタ交換に使用する場合を例にとって、図６〜図１３を参照して説明する。
【００３１】
図６は、例えば有害な粉塵を除去する集塵機におけるフィルタ交換箇所の概略を示しており、フィルタケース１０の内部にカートリッジ型のフィルタ１１が収納装着されると共に、フィルタケース１０の側面に短筒状のフィルタ交換口１２が設けられている。フィルタ交換口１２の内奥には、取っ手付きの内蓋１３が装着されると共に、フィルタ交換口１２に塩化ビニル等の樹脂製の密封袋ｗが外嵌装着されている。かつ、この密封袋ｗは、折り畳まれてフィルタ交換口１２に押し込み格納されると共に、その外側に取っ手付きの外蓋１４が取り付けられている。この密封袋ｗには、手を入れて操作するための図示しないグローブ部が形成されている。
【００３２】
（１）フィルタ交換に際しては、図７に示すように、先ず、外蓋１４を外して密封袋ｗを外方に引き出すと共に、内蓋１３をフィルタ交換口１２から取り外して密封袋ｗに入れる。
【００３３】
（２）次に、図８に示すように、上記グローブ部からフィルタ交換口１２に手を差し入れて、使用済みの古いフィルタ１１を取り出して密封袋ｗ内に回収する。
【００３４】
（３）その後、図９に示すように、密封袋ｗの根元付近を２箇所紐などで絞り込み、この絞込み箇所を溶融切断工具１で加熱挟持することで、後述のように、密封袋ｗの絞込み箇所を溶融切断すると共に、切断箇所の両側において密封袋ｗの切断面を溶着シールする。これによって、粉塵で汚損された古いフィルタ１１と内蓋１３を収納封止した密封袋ｗを分離回収する。
【００３５】
（４）次に、図１０に示すように、新しいフィルタ１１ｎおよび新しい内蓋１３ｎを収納した新しい密封袋ｗｎをフィルタ交換口１２に外嵌装着する。
【００３６】
（５）次に、図１１に示すように、フィルタ交換口１２に残っている密封袋ｗの残片ｗ'を取り外して、新しい密封袋ｗｎの内奥に回収する。
【００３７】
（６）その後、図１２に示すように、密封袋ｗｎの内奥に残片ｗ'が収まるように、密封袋ｗｎの後部を２箇所紐などで絞り込み、この絞込み箇所を溶融切断工具１で加熱挟持することで、密封袋ｗｎの絞込み箇所を溶融切断すると共に、切断箇所の両側において密封袋ｗｎの切断面を溶着シールする。これによって、密封袋ｗの残片ｗ'を収納封入した小さい密封袋部分ｗｎ'を分離回収する。
【００３８】
（７）次に、図１３に示すように、新しいフィルタ１１ｎをフィルタ交換口１２から挿入して所定位置にセットすると共に、新しい内蓋１３ｎをフィルタ交換口１２の内奥に装着し、その後、新しい密封袋ｗｎを折り畳んでフィルタ交換口１２に押し込み格納する。
【００３９】
（８）その後、外しておいた外蓋１４を再び装着することでフィルタ交換が完了する。
【００４０】
次に、溶融切断工具１を用いた密封袋の溶融切断および切断面の溶着シールを、図２および図３を参照して説明する。
【００４１】
溶融切断の対象物である密封袋ｗ（ｗｎ）は、その切断箇所の前後において２本の結束バンド１６で絞り込むと共に、必要に応じて結束バンド１６の間にビニールテープを巻き付けてばらけないようにまとめる。その後、結束バンド１６の間の絞込み部分を溶融切断工具１の両挟持アーム部材２の間に入れて序々に挟持してゆく。両挟持アーム部材２が接近するにつれて、挟持アーム部材２の挟持部で挟まれた密封袋ｗは一層絞り込まれると共に、挟持アーム部材２からの熱で軟化溶融し始め、軟化溶融が進むにつれて両挟持アーム部材２が互いに接近する。両挟持アーム部材２の挟持部が互いに接触するまで接近されることで、両挟持部の溶断用頂部ａで挟まれた部位で密封袋ｗが溶断される。
【００４２】
溶断用頂部ａの両脇、つまり、切断箇所の両脇においては、対向する溶融挟持部ｂによって、溶断された密封袋１４の切断端は互いに溶融密着される。
【００４３】
従って、溶融切断の後、両挟持アーム部材２を離間させると、図４に示すように、切断箇所の両脇に在る切断面はその全体が溶融して一体化した溶着シール状態となる。
【００４４】
さらに切断面における密封性を確実にする目的で、図５に示すように、切断処理の直後に切断面全体をコーキング材１８によって封止してもよく、これによって残存した空気による微小孔などの部分的な空隙が発生するようなことがあっても、この空隙はコーキング材１８で塞がれることになり、空隙中の有害な粉塵などが飛散するのを防止して一層密封性能の高い切断面の密封構造とすることができる。
【００４５】
なお、本考案の比較例として、図１５に示すように、挟持アーム部材２の対向する挟持部における頂部に先鋭な刃部ｅを備える鋭利な形状とし、機械的な切断性能を付与した場合を考えると、刃部ｅによる機械的な切断性能によって、溶融していない対象物でも切断することができ、密封袋ｗの絞込み箇所を短時間で一気に挟持切断してしまうことになる。このように、十分時間をかけることなく切断してしまうと、対向する溶融挟持部ｂで挟持した密封袋ｗを十分に加熱溶融しないうちに切断が進行してしまい、両挟持アーム部材２を離間したとたんに、切断面の一部が広がってしまって溶着シールが不十分になる。
【００４６】
これに対して、本考案の溶融切断工具１においては、対向する挟持部の溶断用頂部ａそのものによる機械的な切断性能は無く、対象物が溶融することで溶断用頂部ａが接近して切断状態をもたらすものであるから、溶融切断工具１をむやみに強く操作しても挟持アーム部材２が接近することはなく、軟化溶融に応じて序々に接近操作することになる。従って、溶断用頂部ａによって溶融切断が進む時間で、対向する溶融挟持部ｂで挟持された対象物を十分加熱して切断面を溶融することができ、切断面を的確に溶着シールすることができる。
【００４７】
すなわち、この実施形態の溶融切断工具１においては、対向する挟持部を、機械的な切断性能を無くした非鋭利な形状にすることで、自ずと融着シールに必要な加熱溶融時間をかけた切断を実行できるのである。
【００４８】
以上のように、この実施形態によれば、密封袋ｗの溶融切断と切断面の溶着シールとを工具の取替えを要することなく一挙に行うことができ、フィルタ交換作業の能率を高めることができる。
【００４９】
なお、本考案の溶融切断工具は、集塵機のフィルタ交換用の密封袋に限らず、樹脂材からなる袋状あるいは筒状等の各種の対象物の溶融切断に使用できるのは勿論である。
【００５０】
（他の実施形態）
本考案は、以下のような形態で実施することもできる。
【００５１】
（１）挟持アーム部材２の挟持部における断面形状は上記形状に限られるものではなく、例えば、図１４（ａ）に示すように、溶断用頂部ａと溶融挟持部ｂとが滑らかに連なる円弧状、すなわち、各挟持アーム部材２を丸棒としたものや、図１４（ｂ）に示すように、直線状の溶断用頂部ａの両側に直線状の溶融挟持部ｂを備えた角形にすることもできる。
【００５２】
（２）挟持アーム部材２に電熱ヒータ３を埋設することもできる。
【００５３】
（３）両挟持アーム部材２の一端同士を枢支連結し、それぞれの遊端側に開閉操作用のグリップを備える形態とすることもできる。この場合は、両挟持アーム部材２を離間方向に復帰付勢しておくことが望ましい。
【００５４】
（４）挟持アーム部材２を互いに平行に接近離間移動させる形態で実施することも可能である。
【符号の説明】
【００５５】
１                溶融切断工具
２                挟持アーム部材
３                電熱ヒータ
ａ                溶断用頂部
ｂ                溶融挟持部
【図１】
0003174905.tif 000003
【図２】
0003174905.tif 000004
【図３】
0003174905.tif 000005
【図４】
0003174905.tif 000006
【図５】
0003174905.tif 000007
【図６】
0003174905.tif 000008
【図７】
0003174905.tif 000009
【図８】
0003174905.tif 000010
【図９】
0003174905.tif 000011
【図１０】
0003174905.tif 000012
【図１１】
0003174905.tif 000013
【図１２】
0003174905.tif 000014
【図１３】
0003174905.tif 000015
【図１４】
0003174905.tif 000016
【図１５】
0003174905.tif 000017